(57)【要約】  進化型パケットネットワークにおいて回線交換ドメインサービスを処理する方法、システムおよび関連する装置であって、前記方法は、ＭＭＥがＭＳＣによって送信されたＭＴサービス表示を受信し（１０１）、上記ＭＭＥがＵＥにＭＴサービス表示を送信し（１０２）、上記ＭＭＥがＵＥによって返信されたＭＴサービス応答を受信し（１０３）、ＭＴサービス応答に従って後続の動作を処理すること（１０４）を含む。本発明が提供する方法では、ＭＭＥは、進化型基地局がＵＥのパケット交換サービスに対して行う切換えをトリガせず、ＵＥにＭＴサービスの着信を知らせ、ＵＥによって返信されるＭＴサービス応答に従って後続の動作を処理するため、パケット交換サービスの正当な理由のない切換えによって生じるネットワークリソースの浪費が回避される。
2011512065.tif 000002
【特許請求の範囲】
【請求項１】
進化型パケットネットワークにおいて回線交換（ＣＳ）ドメインサービスを処理する方法であって、
モビリティ管理エンティティ（ＭＭＥ）が移動交換局（ＭＳＣ）からモバイル着信（ＭＴ）サービス表示を受信し、
前記ＭＭＥがユーザ端末（ＵＥ）に前記ＭＴサービス表示を送信し、
前記ＭＭＥが前記ＵＥによって返信されたＭＴサービス応答を受信し、前記ＭＴサービス応答に従って後続の動作を行うこと、
を含む方法。
【請求項２】
前記ＭＴサービス応答はユーザ選択結果を搬送し、後続の動作を行う前記ステップは、
前記ユーザ選択結果が前記ＭＴサービスを拒否するものである場合、前記ＭＭＥが前記ＭＳＣにＭＴサービス拒否メッセージを返信し、
前記ユーザ選択結果が前記ＭＴサービスを保持するものである場合、前記ＭＭＥが前記ＭＳＣにＭＴサービス保持メッセージを返信し、
前記ユーザ選択結果が前記ＭＴサービスを受諾するものである場合、前記ＭＭＥが前記ＵＥをトリガして、第２世代または第３世代（２Ｇ／３Ｇ）ネットワークにアクセスさせ、
前記ユーザ選択結果がヌルである場合、前記ＭＭＥがデフォルト設定に従って前記ユーザ選択結果を判断すること、
を含む、請求項１に記載の方法。
【請求項３】
前記ＭＭＥが前記ＭＳＣにＭＴサービス保持メッセージを返信した後で前記ユーザが保持されたＭＴサービスの復元を要求する場合に、
前記ＭＭＥが、前記保持されたＭＴサービスの復元を要求する前記ＵＥから第１のＭＴサービスアクティブ化要求を受信し、
前記ＭＭＥが前記ＭＳＣに第２のＭＴサービスアクティブ化要求を送信し、
前記ＭＳＣが前記ＭＭＥに第２のＭＴサービスアクティブ化応答を返信し、前記ＵＥに、前記２Ｇ／３Ｇネットワークにアクセスするよう通知すること、
をさらに含む、請求項２に記載の方法。
【請求項４】
前記ＭＴサービスアクティブ化要求はＭＴサービスＩＤを搬送し、前記ＭＭＥに前記第２のＭＴサービスアクティブ化応答を返信する前記ステップは、
前記ＭＳＣが、前記ＭＴサービスＩＤを保持されたＭＴサービスと照合し、前記ＭＴサービスが存在する場合に、前記アクティブ化要求を受諾し、前記ＭＭＥに前記第２のＭＴサービスアクティブ化応答を送信すること、
を含む、請求項３に記載の方法。
【請求項５】
前記ＭＴサービス表示はＭＴサービス関連情報を含む、請求項１から４のいずれか１項に記載の方法。
【請求項６】
前記ＵＥが、前記ＭＴサービス表示を受信し、前記ユーザに前記ＭＴサービスを通知し、前記ユーザの選択に従って前記ＭＭＥにＭＴサービス応答を返信すること、
をさらに含む、請求項１から４のいずれか１項に記載の方法。
【請求項７】
前記ＵＥに前記ＭＴサービス表示を送信する前記ステップは、
前記ＭＭＥが、前記ＵＥの状態を問い合わせ、前記ＵＥがアクティブモードにある場合に前記ＵＥに前記ＭＴサービス表示を送信し、前記ＵＥがアイドルモードにある場合に進化型ＮｏｄｅＢ（ｅＮｏｄｅＢ）を介して前記ＵＥをアクティブ化し、前記ＵＥに前記ＭＴサービス表示を送信すること、
を含む、請求項１から４のいずれか１項に記載の方法。
【請求項８】
前記ｅＮｏｄｅＢを介して前記ＵＥをアクティブ化し、前記ＵＥに前記ＭＴサービス表示を送信する前記ステップは、
前記ＭＭＥが前記ｅＮｏｄｅＢに第２のページメッセージを送信し、
前記ｅＮｏｄｅＢが、前記ｅＮｏｄｅＢによって管理されるセル内のＵＥに前記第２のページメッセージをブロードキャストし、前記ＭＭＥが前記ＵＥによって返信されたサービス要求を受信し、
前記ＭＭＥが前記ＵＥに前記ＭＴサービス表示を送信すること、
を含む、請求項７に記載の方法。
【請求項９】
前記ｅＮｏｄｅＢを介して前記ＵＥをアクティブ化し、前記ＵＥに前記ＭＴサービス表示を送信する前記ステップは、
前記ＭＭＥが前記ｅＮｏｄｅＢに前記ＭＴサービス表示を搬送する第３のページメッセージを送信し、
前記ｅＮｏｄｅＢが、前記ｅＮｏｄｅＢによって管理されるセル内のＵＥに前記第３のページメッセージをブロードキャストすること、
を含む、請求項７に記載の方法。
【請求項１０】
進化型パケットネットワークにおいて回線交換（ＣＳ）ドメインサービスを処理する方法であって、
モビリティ管理エンティティ（ＭＭＥ）が移動交換局（ＭＳＣ）からショートメッセージを受信し、
前記ＭＭＥが、ユーザ端末（ＵＥ）がアクティブ状態である場合には前記ＵＥに前記ショートメッセージを送信し、前記ＵＥがアイドル状態である場合には前記ＵＥをアクティブ化し、前記ＵＥに前記ショートメッセージを送信し、
前記ＭＭＥが前記ＵＥからショートメッセージ応答を受信すること、
を含む方法。
【請求項１１】
前記ＵＥをアクティブ化し、前記ＵＥに前記ショートメッセージを送信する前記ステップは、
前記ＭＭＥが進化型ＮｏｄｅＢ（ｅＮｏｄｅＢ）に第２のページメッセージを送信し、
前記ｅＮｏｄｅＢが、前記ｅＮｏｄｅＢによって管理されるセル内のＵＥに前記第２のページメッセージをブロードキャストし、
前記ＭＭＥが前記ＵＥからサービス要求を受信し、
前記ＭＭＥが前記サービス要求に従って前記ＵＥに前記ショートメッセージを送信すること、
を含む、請求項１０に記載の方法。
【請求項１２】
前記ＵＥをアクティブ化し、前記ＵＥに前記ショートメッセージを送信する前記ステップは、
前記ＭＭＥが進化型ＮｏｄｅＢ（ｅＮｏｄｅＢ）に前記ショートメッセージを搬送する第３のページメッセージを送信し、
前記ｅＮｏｄｅＢが、前記ｅＮｏｄｅＢによって管理されるセル内のＵＥに前記第３のページメッセージをブロードキャストすること、
を含む、請求項１０に記載の方法。
【請求項１３】
移動交換局（ＭＳＣ）からモバイル着信（ＭＴ）サービス表示を受信するように構成されたページメッセージ受信ユニットと、
ユーザ端末（ＵＥ）に前記ＭＴサービス表示を送信するように構成されたＭＴサービス通知ユニットと、
前記ＵＥによって返信されるＭＴサービス応答を受信するように構成された応答受信ユニットと、
前記ＭＴサービス応答に従って後続の動作を行うように構成された応答処理ユニットと、
を備える、モビリティ管理エンティティ（ＭＭＥ）。
【請求項１４】
前記ＭＴサービス応答はユーザ選択結果を搬送し、前記応答処理ユニットは、
前記ユーザ選択結果が前記ＭＴサービスを拒否するものである場合、前記ＭＳＣにＭＴサービス拒否メッセージを返信するように構成された第１の応答処理ユニット、
前記ユーザ選択結果が前記ＭＴサービスを保持するものである場合、前記ＭＳＣにＭＴサービス保持メッセージを返信するように構成された第２の応答処理ユニット、
前記ユーザ選択結果が前記ＭＴサービスを受諾するものである場合、もしくは前記ユーザ選択結果がヌルである場合、前記ＵＥをトリガして第２世代または第３世代（２Ｇ／３Ｇ）ネットワークにアクセスさせるように構成された第３の応答処理ユニット、
のうちの少なくとも１つを備える、請求項１３に記載のＭＭＥ。
【請求項１５】
前記ＭＭＥが前記ＭＳＣにＭＴサービス保持メッセージを返信した後で、前記ユーザが保持されたＭＴサービスの復元を要求する場合に、
前記保持されたＭＴサービスの復元を要求する前記ＵＥによって送信される第１のＭＴサービスアクティブ化要求を受信するように構成されたアクティブ化要求受信ユニットと、
前記ＭＳＣに第２のＭＴサービスアクティブ化要求を送信するように構成されたアクティブ化要求送信ユニットと、
前記ＭＳＣによって返信される第２のＭＴサービスアクティブ化応答を受信し、前記ＵＥに、前記２Ｇ／３Ｇネットワークにアクセスするよう通知するように構成されたアクティブ化応答受信ユニットと、
をさらに備える、請求項１４に記載の前記ＭＭＥ。
【請求項１６】
前記ＭＴサービス通知ユニットは、
進化型ＮｏｄｅＢ（ｅＮｏｄｅＢ）を介して前記ＵＥをアクティブ化するように構成されたＵＥアクティブ化ユニットと、
前記ＵＥの状態を問い合わせ、前記ＵＥがアクティブモードにある場合に送信ユニットをトリガし、前記ＵＥがアイドルモードにある場合に前記ＵＥアクティブ化ユニットをトリガするように構成された状態問い合わせユニットと、
前記ＵＥがアクティブモードにある場合に、前記ＵＥに前記ＭＴサービス表示を送信するように構成された前記送信ユニットと、
を備える、請求項１３から１５のいずれか１項に記載の前記ＭＭＥ。
【請求項１７】
前記ＭＴサービス通知ユニットは、
前記ｅＮｏｄｅＢに第２のページメッセージを送信するように構成されたページメッセージ送信ユニットと、
前記ＵＥによって返信されるサービス要求を受信した後で前記ＭＴサービス通知ユニットをトリガするように構成されたサービス要求受信ユニットと、
を備える、請求項１６に記載のＭＭＥ。
【請求項１８】
前記ＵＥアクティブ化ユニットは、前記ｅＮｏｄｅＢに前記ＭＴサービス表示を搬送する第３のページメッセージを送信するように構成されたアクティブ化／通知ユニットである、請求項１７に記載の前記ＭＭＥ。
【請求項１９】
移動交換局（ＭＳＣ）からショートメッセージを受信するように構成された受信ユニットと、
ユーザ端末（ＵＥ）がアクティブ状態であるかアイドル状態であるか判断するように構成された状態判断ユニットと、
前記状態判断ユニットが、前記ＵＥがアクティブ状態であると判定すると、前記ＵＥに、前記受信ユニットが受信した前記ショートメッセージを送信するように構成された送信ユニットと、
前記状態判断ユニットが、前記ＵＥがアイドル状態であると判定すると、前記ＵＥをアクティブ化し、前記アクティブ化されたＵＥに前記受信ユニットが受信した前記ショートメッセージを送信するように構成されたアクティブ化／送信ユニットと、
前記ＵＥからショートメッセージ応答を受信するように構成されたショートメッセージ応答受信ユニットと、
を備える、モビリティ管理エンティティ（ＭＭＥ）。
【請求項２０】
前記アクティブ化／送信ユニットは、
進化型ＮｏｄｅＢ（ｅＮｏｄｅＢ）に第２のページメッセージを送信するように構成されたページ送信ユニットと、
前記ＵＥによって返信されるサービス要求を受信するように構成された返信メッセージ受信ユニットと、
前記返信メッセージ受信ユニットが受信する前記サービス要求に従って前記ＵＥに前記ショートメッセージを送信するように構成されたショートメッセージ送信ユニットと、
を備えるか、または前記アクティブ化／送信ユニットは、
前記ｅＮｏｄｅＢに前記ショートメッセージを搬送する第３のページメッセージを送信するように構成されたページ送信ユニット、
を備える、請求項１９に記載のＭＭＥ。
【請求項２１】
モビリティ管理エンティティ（ＭＭＥ）によって送信されるモバイル着信（ＭＴ）サービス表示を受信するように構成された通知受信ユニットと、
前記通知受信ユニットが前記ＭＴサービス表示を受信した後で、ユーザに前記ＭＴサービスを通知するように構成された通知ユニットと、
前記ＭＴサービスに関する前記ユーザの選択に従って前記ＭＭＥにＭＴサービス応答を返信するように構成された応答送信ユニットと、
を備える、ユーザ端末（ＵＥ）。
【請求項２２】
前記ＭＭＥに、保持されたＭＴサービスを復元するよう要求する第１のＭＴサービスアクティブ化要求を送信するように構成されたアクティブ化要求送信ユニット、
をさらに備える、請求項２１に記載のＵＥ。
【請求項２３】
前記ＭＴサービスを処理するように構成されたＭＴサービス処理ユニット
をさらに備える、請求項２１または２２に記載のＵＥ。
【請求項２４】
移動交換局（ＭＳＣ）と、モビリティ管理エンティティ（ＭＭＥ）とを備える、進化型パケットネットワークにおいて回線交換（ＣＳ）サービスを処理するシステムであって、
前記ＭＳＣは、モバイル着信（ＭＴ）サービス表示を受信した後で、前記ＭＭＥに前記ＭＴサービス表示を送信するように構成されたサービス表示送信ユニットを備え、
前記ＭＭＥは、
前記ＭＳＣから前記ＭＴサービス表示を受信するように構成されたページメッセージ受信ユニットと、
ユーザ端末（ＵＥ）に前記ＭＴサービス表示を送信するように構成されたＭＴサービス通知ユニットと、
前記ＵＥによって返信されるＭＴサービス応答を受信するように構成された応答受信ユニットと、
前記ＭＴサービス応答に従って後続の動作を行うように構成された応答処理ユニットと
を備えるシステム。
【請求項２５】
前記ＭＴサービス応答はユーザ選択結果を搬送し、前記応答処理ユニットは、
前記ユーザ選択結果が前記ＭＴサービスを拒否するものである場合、前記ＭＳＣにＭＴサービス拒否メッセージを返信するように構成された第１の応答処理ユニットと、
前記ユーザ選択結果が前記ＭＴサービスを保持するものである場合、前記ＭＳＣにＭＴサービス保持メッセージを返信するように構成された第２の応答処理ユニットと、
前記ユーザ選択結果が前記ＭＴサービスを受諾するものである場合、もしくは前記ユーザ選択結果がヌルである場合、前記ＵＥをトリガして第２世代または第３世代（２Ｇ／３Ｇ）ネットワークにアクセスさせるように構成された第３の応答処理ユニットと、
を備える、請求項２４に記載のシステム。
【請求項２６】
前記第２の応答処理ユニットが前記ＭＳＣにＭＴサービス保持メッセージを返信した後で、前記ユーザが保持されたＭＴサービスの復元を要求する場合に、
前記保持されたＭＴサービスの復元を要求する前記ＵＥによって送信される第１のＭＴサービスアクティブ化要求を受信するように構成されたアクティブ化要求受信ユニットと、
前記ＭＳＣに第２のＭＴサービスアクティブ化要求を送信するように構成されたアクティブ化要求送信ユニットと、
前記ＭＳＣによって返信される第２のＭＴサービスアクティブ化応答を受信し、前記ＵＥに、前記２Ｇ／３Ｇネットワークにアクセスするよう通知するように構成されたアクティブ化応答受信ユニットと
をさらに備える、請求項２５に記載のシステム。
【請求項２７】
前記ＭＳＣは、
前記ＭＭＥから前記第２のＭＴサービスアクティブ化要求を受信するように構成されたアクティブ化要求受信ユニットと、
前記アクティブ化要求受信ユニットが前記要求を受信した後で、前記第２のＭＴサービスアクティブ化応答を返信するように構成されたアクティブ化応答送信ユニットと、
をさらに備える、請求項２４に記載のシステム。
【請求項２８】
進化型ＮｏｄｅＢ（ｅＮｏｄｅＢ）をさらに備え、前記ＭＭＥは、
前記ｅＮｏｄｅＢを介して前記ＵＥをアクティブ化するように構成されたＵＥアクティブ化ユニットと、
前記ＵＥの状態を問い合わせ、前記ＵＥがアクティブモードにある場合に前記ＭＴサービス通知ユニットをトリガし、または前記ＵＥがアイドルモードにある場合に前記ＵＥアクティブ化ユニットをトリガするように構成された状態問い合わせユニットと、
をさらに備える、請求項２４から２７のいずれか１項に記載のシステム。
【請求項２９】
前記ＵＥアクティブ化ユニットは、
前記ｅＮｏｄｅＢに第２のページメッセージを送信するように構成されたページメッセージ送信ユニットと、
前記ＵＥによって返信されるサービス要求を受信した後で前記ＭＴサービス通知ユニットをトリガするように構成されたサービス要求受信ユニットと、
を備える、請求項２８に記載のシステム。
【請求項３０】
前記ＵＥアクティブ化ユニットは、前記ｅＮｏｄｅＢに前記ＭＴサービス表示を搬送する第３のページメッセージを送信するように構成されたアクティブ化／通知ユニットである、請求項２８に記載のシステム。
【発明の詳細な説明】
【技術分野】
【０００１】
本出願は、参照によりその全文が本明細書に組み込まれる、「進化型パケットネットワークにおいて回線交換ドメインサービスを処理する方法、システムおよび装置（Method, System and Device for Processing Circuit Switched Domain Services in an Evolved Packet Network）」という名称の、２００８年１月１６日付けで中国特許庁に出願された中国特許出願第２００８１０００２７６２．Ｘ号の優先権を主張するものである。
【０００２】
本発明は通信技術に関し、詳細には、進化型パケットネットワークにおいて回線交換ドメインサービスを処理する方法、システムおよび装置に関する。
【背景技術】
【０００３】
無線ブロードバンド技術の課題に応え、第３世代パートナーシッププロジェクト（３ＧＰＰ）ネットワークの主導権を維持するために、３ＧＰＰ組織は、２００４年末に、ロング・ターム・エボリューション（ｌｏｎｇ  ｔｅｒｍ  ｅｖｏｌｕｔｉｏｎ）（ＬＴＥ）計画を策定した。ＬＴＥ計画の方向付けにより、パケット交換（ＰＳ）ドメインだけが残る新しい移動通信ネットワークアーキテクチャが定義されている。このアーキテクチャを、進化型パケットシステム（ＥＰＳ）という。
【０００４】
ＥＰＳネットワークにおける回線交換（ＣＳ）サービスを可能にするために、従来技術では、ＥＰＳネットワークにおいてＣＳサービスを処理する方法を提供しており、この方法はＣＳフォールバック法とも呼ばれ得る。
【０００５】
移動交換局（ｍｏｂｉｌｅ  ｓｗｉｔｃｈｉｎｇ  ｃｅｎｔｅｒ）（ＭＳＣ）は、ＣＳ音声通話といった、モバイル着信（ｍｏｂｉｌｅ  ｔｅｒｍｉｎａｔｅｄ）（ＭＴ）サービスを受信するとき、モビリティ管理エンティティ（ｍｏｂｉｌｉｔｙ  ｍａｎａｇｅｍｅｎｔ  ｅｎｔｉｔｙ）（ＭＭＥ）にページメッセージを送信し、ＭＭＥは、ＥＰＳネットワークを介してユーザ端末（ＵＥ）をページングする。進化型ＮｏｄｅＢ（ｅＮｏｄｅＢ）は、ページメッセージを受信すると、まず、ＰＳサービスハンドオーバを実行する。すなわちｅＮｏｄｅＢは、ＵＥの進行中のＰＳサービスを、汎用パケット無線サービス／ユニバーサル移動電話システム（general packet radio service/universal mobile telecommunications system）（ＧＰＲＳ／ＵＭＴＳ）ネットワークのＰＳドメインにハンドオーバする。次いでｅＮｏｄｅＢは、ＵＥを第２世代／第３世代（２Ｇ／３Ｇ）ネットワークにハンドオーバする。すなわちＵＥは、在圏すべき２Ｇ／３Ｇセルを選択する。ＵＥがＧＰＲＳ／ＵＭＴＳネットワーク内のＭＧＣにページ応答を返信すると、ｅＮｏｄｅＢはＭＴサービスの処理を完了する。
【０００６】
しかし、従来技術の研究および実施において、本発明の発明者は、従来技術に少なくとも以下の弱点があることに気付いた。
【０００７】
従来技術のＣＳフォールバック法を使用することにより、ｅＮｏｄｅＢは、ＭＭＥからページメッセージを受信すると直ちにＰＳサービスハンドオーバを実行するが、この結果、以下の問題が生じる。
【０００８】
１．ネットワークリソースの浪費。従来技術によれば、ＭＴサービスが着信すると、ｅＮｏｄｅＢは、ＰＳサービスを２Ｇ／３ＧネットワークのＰＳドメインにハンドオーバし、ＭＴサービスを接続する。実際には多くの場合、以下の状況が生じる。ＵＥが２Ｇ／３Ｇネットワークにハンドオーバされ、ＭＴサービスが接続されると、ユーザは応答したくないかまたは応答することができないために、そのＭＴサービスを拒否する。ｅＮｏｄｅＢは、そのようなＭＴサービスを完了したサービスとみなし、その場合ｅＮｏｄｅＢは、ＵＥのＰＳサービスをＥＰＳネットワークにハンドオーバする。正常に実行されないＭＴサービスのために２回のＰＳサービスハンドオーバが行われ、このためにネットワークリソースが浪費される。
【０００９】
２．ＵＥの進行中のＰＳサービスに対する影響。例えば、ＵＥが、（私用電話といった）ＣＳ  ＭＴサービスを受信したとき、ＥＰＳネットワーク内で（テレビ会議といった）ＰＳサービスを利用中であるとする。従来技術によれば、ｅＮｏｄｅＢはテレビ会議を２Ｇ／３ＧネットワークのＰＳドメインにハンドオーバするが、２Ｇ／３ＧネットワークのＰＳドメインは、ＥＰＳネットワークにおいて、テレビ会議といったいくつかのＰＳサービスをサポートしないため、そのＰＳサービスは実行されない。よって、従来技術は進行中のＰＳサービスに影響を及ぼす。
【発明の概要】
【発明が解決しようとする課題】
【００１０】
本発明の各実施形態は、ネットワークリソースの浪費を回避し、ＵＥの現在のＰＳサービスに影響を及ぼさないように、進化型パケットネットワークにおいてＣＳサービスを処理する方法、システムおよび装置を提供する。
【課題を解決するための手段】
【００１１】
上記目的のために、本発明の各実施形態は、以下の技術的解決法によって実施される。
【００１２】
進化型パケットネットワークにおいてＣＳサービスを処理する方法は、
ＭＭＥがＭＳＣからＭＴサービス表示を受信し、
ＭＭＥがＵＥにＭＴサービス表示を送信し、
ＭＭＥが、ＵＥによって返信されたＭＴサービス応答を受信し、ＭＴサービス応答に従って後続の動作を行うこと、
を含む。
【００１３】
進化型パケットネットワークにおいてＣＳサービスを処理する方法は、
ＭＭＥがＭＳＣからショートメッセージを受信し、
ＭＭＥが、ＵＥがアクティブモードにある場合にＵＥにショートメッセージを送信し、ＵＥがアイドルモードにある場合にＵＥをアクティブ化してショートメッセージを送信し、
ＭＭＥが、ＵＥからショートメッセージ応答を受信すること、
を含む。
【００１４】
ＭＭＥは、
ＭＳＣからＭＴサービス表示を受信するように構成されたページメッセージ受信ユニットと、
ＵＥにＭＴサービス表示を送信するように構成されたＭＴサービス通知ユニットと、
ＵＥによって返信されるＭＴサービス応答を受信するように構成された応答受信ユニットと、
ＭＴサービス応答に従って後続の動作を行うように構成された応答処理ユニットと、
を含む。
【００１５】
ＭＭＥは、
ＭＳＣからショートメッセージを受信するように構成された受信ユニットと、
ＵＥがアクティブモードにあるかそれともアイドルモードにあるか判断するように構成された状態判断ユニットと、
状態判断ユニットが、ＵＥがアクティブモードにあると判定すると、受信ユニットが受信したショートメッセージをＵＥに送信するように構成された送信ユニットと、
状態判断ユニットが、ＵＥがアイドルモードにあると判定すると、ＵＥをアクティブ化し、受信ユニットが受信したショートメッセージをアクティブ化されたＵＥに送信するように構成されたアクティブ化／送信ユニットと、
ＵＥからショートメッセージ応答を受信するように構成されたショートメッセージ応答ユニットと、
を含む。
【００１６】
ＵＥは、
ＭＭＥによって送信されるＭＴサービス表示を受信するように構成された通知受信ユニットと、
通知受信ユニットがＭＴサービス表示を受信した後でユーザにＭＴサービスを通知するように構成された通知ユニットと、
ＭＴサービスに関するユーザの選択に従ってＭＭＥにＭＴサービス応答を返信するように構成された応答送信ユニットと、
を含む。
【００１７】
進化型パケットネットワークにおいてＣＳサービスを処理するシステムは、ＭＳＣとＭＭＥとを含み、
ＭＳＣは、ＭＴサービス表示を受信した後でＭＭＥに前記ＭＴサービス表示を送信するように構成されたサービス表示送信ユニットを含み、
ＭＭＥは、
ＭＳＣから前記ＭＴサービス表示を受信するように構成されたページメッセージ受信ユニットと、
ＵＥに前記ＭＴサービス表示を送信するように構成されたＭＴサービス通知ユニットと、
ＵＥによって返信されるＭＴサービス応答を受信するように構成された応答受信ユニットと、
前記ＭＴサービス応答に従って後続の動作を行うように構成された応答処理ユニットと
を含む。
【発明の効果】
【００１８】
この技術的解決法は、以下の利益を提供する。
【００１９】
本発明の各実施形態では、ＣＳ  ＭＴサービスが着信すると、ＭＭＥは、ＵＥにＭＴサービスを通知するためのＭＴサービス表示を送信し、次いで、ＵＥから受信したＭＴサービス応答に従って後続の動作を行う。ＭＴサービスが着信すると、ＭＭＥは、ＵＥのＰＳサービスをハンドオーバさせるためのｅＮｏｄｅＢのトリガを行わず、ＵＥにＭＴサービスを通知し、ＵＥが返信するＭＴサービス応答に従って後続の処理を実行する。このように、本発明の各実施形態は、無意味なＰＳサービスハンドオーバによって生じるネットワークリソースの浪費を回避し、ＵＥの進行中のＰＳサービスに影響を及ぼさない。
【図面の簡単な説明】
【００２０】
【図１】本発明の一実施形態において提供されるＣＳフォールバック法を示す流れ図である。
【図２】本発明の第１の実施形態において提供されるＣＳフォールバック法の信号フローを示す図である。
【図３】本発明の第１の実施形態においてＵＥがアクティブ化され、着信するＭＴサービスを通知される場合の信号フローを示す図である。
【図４】本発明の第２の実施形態において提供されるＣＳフォールバック法の信号フローを示す図である。
【図５】本発明の第２の実施形態においてＵＥがアクティブ化され、着信するＭＴサービスを通知される場合の信号フローを示す図である。
【図６】本発明の一実施形態において提供されるＭＴサービス復元法の信号フローを示す図である。
【図７】本発明の一実施形態において提供されるＣＳフォールバックシステムの構造を示す図である。
【発明を実施するための形態】
【００２１】
本発明の目的、技術的解決法および利点をより適切に説明するために、以下で、添付の図面を参照して、本発明の各実施形態を詳しく説明する。
【００２２】
ＣＳ  ＭＴサービスが着信するとき、図１に示すように、本発明の一実施形態において提供されるＣＳフォールバックシステムは以下の各ステップを含む。
【００２３】
ステップ１０１：ＭＭＥがＭＳＣからＭＴサービス表示を受信する。
【００２４】
ステップ１０２：ＭＭＥがＵＥにＭＴサービス表示を転送する。
【００２５】
ＭＴサービス表示はＵＥにＭＴサービスを通知する。
【００２６】
ステップ１０３：ＭＭＥがＵＥからＭＴサービス応答を受信する。
【００２７】
ステップ１０４：ＭＭＥが、ＭＴサービス応答に従って後続の処理を実行する。
【００２８】
以上が、本発明の一実施形態において提供されるＣＳフォールバック法である。この実施形態では、ＣＳ  ＭＴサービスが着信すると、ＭＭＥはまず、ＵＥにＭＴサービスを通知するためのＭＴサービス表示を送信し、ＵＥからのＭＴサービス応答の受信後に、ＭＭＥはＭＴサービス応答に従って後続の処理を実行する。本発明の実施形態で提供される方法では、ＭＴサービスが着信すると、ＭＭＥは、ＵＥのＰＳサービスをハンドオーバさせるためのｅＮｏｄｅＢをトリガせずに、ＵＥにＭＴサービスを通知し、ＵＥによって返信されるＭＴサービス応答に従って後続の処理を実行する。このように本方法は、無意味なＰＳサービスハンドオーバによって生じるネットワークリソースの浪費を回避し、ＵＥの進行中のＰＳサービスに影響を及ぼさない。
【００２９】
本発明の実施形態の具体的実施において、ＭＴサービス応答は、ユーザの選択結果を搬送することができる。ユーザがＭＴサービスを拒否するよう選択した場合、ＭＭＥは、ＭＴサービス応答に従って後続の処理を実行するときに、ＭＳＣにＭＴサービス拒否メッセージを返信する。
【００３０】
ユーザがＭＴサービスを受諾するよう選択した場合、ＭＭＥは、ｅＮｏｄｅＢにＰＳサービスハンドオーバ要求を送信し、ｅＮｏｄｅＢは、ハンドオーバ要求を受信するとＰＳサービスハンドオーバを実行し、ＵＥを２Ｇ／３Ｇネットワークにハンドオーバする。ＵＥが２Ｇ／３Ｇネットワークにハンドオーバされた後で、ｅＮｏｄｅＢは、ＭＳＣに第１（最初）のページ応答を送信し、ＭＴサービス処理を完了する。
【００３１】
本発明の別の実施形態では、ユーザがＭＴサービスを受諾するよう選択した場合、ＭＭＥは、構成済みのネットワーク動作ポリシに従ってＵＥの現在のＰＳサービスをハンドオーバせず、したがってＭＭＥは、ｅＮｏｄｅＢにＰＳサービスハンドオーバ要求を送信しなくてもよく、ｅＮｏｄｅＢは、後でＰＳハンドオーバを実行しなくてもよい。この場合、ＵＥがＭＴサービスの受諾を示す応答を送信した後で、またはＵＥのＭＴサービスの受諾に関するＭＭＥからの応答を受信した後で、ＵＥは、２Ｇ／３Ｇネットワークに直接アクセスしてＭＴサービス処理を完了する。
【００３２】
以上が、本発明の一実施形態において提供されるＣＳフォールバック法の説明である。以下に、本発明の具体的信号フローを示す。
【００３３】
図２に示すように、本発明の第１の実施形態におけるＣＳフォールバック法の信号フローは以下の各ステップを含む。
【００３４】
ステップ２０１：ＭＳＣがＭＴサービス表示を受信し、ＭＭＥに第１の（最初の）ページメッセージを送信する。
【００３５】
実際には、第１のページメッセージは、ＵＥの国際移動体加入者識別情報（international mobile subscriber identity）（ＩＭＳＩ）を搬送し得る。
【００３６】
ステップ２０２：第１のページメッセージを受信すると、ＭＭＥがＵＥの状態を問い合わせる。ＵＥがアイドルモードにある場合、ＭＭＥはｅＮｏｄｅＢに第２のページメッセージを送信する。ＵＥがアクティブモードにある場合、プロセスはステップ２０５に進む。
【００３７】
実際には、第１のページメッセージは、ＭＳＣによってＭＭＥに送信されたＭＴサービス表示を搬送することができる。したがって、第１のページメッセージは、ＭＴサービス要求などとも呼ばれ得る。加えて、ステップ３０２で、第１のページメッセージがＭＴサービス表示を搬送する場合、ＭＭＥは、第１のページメッセージを受信した後で、第１のページメッセージをパース（構文解析）し、ＭＴサービス表示を取得した後でＵＥの状態を問い合わせる必要がある。
【００３８】
また第１のページメッセージは、ＭＴサービス表示を搬送しなくてもよい。この場合ＭＭＥは、第１のページメッセージを受信すると、ＵＥの状態を問い合わせるように設定される。この場合、第１のページメッセージは、ＭＴサービス表示と等価である。
【００３９】
ステップ２０３：ｅＮｏｄｅＢが、その管理下のセル内で第２のページメッセージをブロードキャストする。
【００４０】
ステップ２０４：ＵＥが第２のページメッセージを受信し、ＭＭＥにサービス要求を返信する。
【００４１】
ＭＭＥは、アイドル状態のＵＥをアクティブ化するために、ｅＮｏｄｅＢを介して第２のページメッセージを送信する。
【００４２】
ステップ２０５：サービス要求を受信した後で、ＭＭＥはＵＥにＭＴサービス表示を送信する。ＭＴサービス表示は、ＵＥにＭＴサービスを通知するためのものである。
【００４３】
図２に示すＭＴサービス表示は、非アクセス層（ｎｏｎ  ａｃｃｅｓｓ  ｓｔｒａｔｕｍ）（ＮＡＳ）メッセージであり、したがって、ＭＭＥからＵＥに直接送信されることができる。本発明の別の実施形態では、ＭＴサービス表示は（Ｐａｇｅ（ページ）といった）アクセス層メッセージである。アクセス層メッセージは、ＭＴサービス表示を搬送してもよく、ＭＭＥによってｅＮｏｄｅＢに送信され、ｅＮｏｄｅＢによってＵＥに転送される。このことは、本発明の実施には影響しない。
【００４４】
ステップ２０６：ＵＥが、ＭＴサービス表示を受信した後で、ユーザにＭＴサービスを通知する。
【００４５】
実際にはＵＥは、ユーザの事前設定に従ってユーザにＭＴサービスを通知する。例えばＵＥは、呼出音を鳴らし、または振動し、または呼出音を鳴らして振動し、またはテキストによる通知を表示してユーザにＭＴサービスを通知する。
【００４６】
ユーザがＭＴサービスに関する選択を行った後で、ＵＥはステップ２０７を実行する。
【００４７】
ステップ２０７：ＵＥがＭＭＥにＭＴサービス応答を送信する。
【００４８】
ＭＴサービス応答がユーザ選択結果（受諾もしくは拒否）を搬送してもよく、あるいはＭＴサービス応答はユーザ選択結果を搬送しなくてもよい。この場合、ユーザ選択結果はヌルである。ＭＴサービス応答がユーザ選択結果を搬送しない場合、ＭＭＥは、デフォルト設定に従ってユーザ選択を決定する。一般的なシナリオでは、ＭＴサービス応答が選択結果を搬送しない場合、ＭＭＥは、ユーザがデフォルトでＭＴサービスを受諾するものとみなす。
【００４９】
ステップ２０８：ＭＭＥが、ＭＴサービス応答で搬送された選択結果を取得する。ユーザがＭＴサービスを拒否するよう選択した場合、ＭＭＥは第１のページ拒否メッセージ（前述のＭＴサービス拒否）を送信する。ユーザがＭＴサービスを受諾するよう選択した場合、プロセスはステップ２０９に進む。
【００５０】
ＵＥがＭＴサービスを拒否した場合には、ＭＴサービスを実行する必要がなく、ＭＭＥは、ＭＳＣに第１のページ拒否メッセージを返信してＭＴサービスを終了させる。本発明の実施形態で提供される方法では、ＵＥがＭＴサービスを実行しない場合、ｅＮｏｄｅＢはＵＥのＰＳサービスをハンドオーバしない。このように本方法は、無意味なＰＳハンドオーバによって生じるネットワークリソースの浪費を回避し、ＵＥの現在のＰＳサービスに影響を及ぼさない。
【００５１】
第１のページ拒否メッセージは、ＭＴサービスを拒否する理由を示す原因値を搬送してもよく、原因値を搬送しなくてもよい。メッセージが原因値を搬送するかどうかは、本発明の実施に影響しない。
【００５２】
加えて、日常においては、ユーザが、長期間ＵＥの通知を見ないか、または気づかない場合もしばしばある。ＭＭＥの作業効率を改善するために、事前に、ＭＭＥが事前設定時間Ｔ内にＵＥからＭＴサービス応答を受信しなかった場合、ＭＭＥは、ユーザがＭＴサービスを拒否したものとみなすと定義されてもよい。またこの場合、ＭＭＥは、ＭＴサービスを拒否するためにＭＳＣに第１のページ拒否メッセージを送信する。
【００５３】
ステップ２０９：ＭＭＥがｅＮｏｄｅＢにＰＳサービスハンドオーバ要求を送信する。
【００５４】
ステップ２１０：ｅＮｏｄｅＢがＰＳサービスハンドオーバ要求を受信し、ＰＳサービスハンドオーバ手順を開始して、ＵＥを２Ｇ／３Ｇネットワークにハンドオーバする。
【００５５】
ステップ２１１：ＵＥが、２Ｇ／３Ｇネットワークにハンドオーバされた後で、第１のページ応答を送信し、ＭＴサービス処理を完了する。
【００５６】
本発明の別の実施形態では、ＭＭＥは、第１のページメッセージを受信した後で、ＵＥに問い合わせせず、ＵＥがデフォルトでアイドルモードにあるものとみなしてもよい。その場合ＭＭＥは、ＵＥに、第２のページメッセージおよびＭＴサービス表示を送信して、アクティブ状態またはアイドル状態のＵＥにＭＴサービスを通知する。
【００５７】
以上が、本発明の第１の実施形態で提供される信号フローである。ＭＭＥは、ステップ２０１でＭＳＣによって送信された第１のページメッセージを受信すると、本発明の第１の実施形態におけるステップ２０２から２０５によって、または図３に示す信号フローによって、アイドル状態またはアクティブ状態のＵＥにＭＴサービスを通知することができる。この信号フローは以下の各ステップを含む。
【００５８】
ステップ３０１：ＭＭＥが、ＭＳＣから第１のページメッセージを受信し、ｅＮｏｄｅＢに第３のページメッセージを送信する。第３のページメッセージは、少なくともＭＴサービス表示を搬送する。
【００５９】
実際には、ＭＴサービス表示は、第３のページメッセージ内のページ原因値とすることも、第３のページメッセージ内の独立情報要素とすることもでき、このことは、本発明の実施に影響しない。
【００６０】
ステップ３０２：ｅＮｏｄｅＢが、その管理下のセル内で第３のページメッセージをブロードキャストする。
【００６１】
ステップ３０３：ＵＥが、第３のページメッセージを受信した後で、ユーザにＭＴサービスを通知する。
【００６２】
図３に示す信号フローは、以下の各側面において、本発明の第１の実施形態のステップ２０２から２０５とは異なる。
【００６３】
本発明の第１の実施形態では、ＭＭＥは、ＵＥがアクティブモードにあるときのみ、ＵＥにＭＴサービスを通知するメッセージを送信する。ＵＥは、ＭＭＥが第１のページメッセージを受信するときにすでにアクティブモードにある場合もあり、ＭＭＥからのページングによってアクティブ化される場合もある。しかし、図３に示す信号フローでは、ＭＭＥは、ＵＥがアクティブモードにあるかどうかチェックせず、第３のページメッセージによってＵＥにＭＴサービスを直接通知する。
【００６４】
具体的には、本発明の第１の実施形態では、ＵＥがアイドルモードにあるとき、ＭＭＥは第２のページメッセージおよびＭＴサービス表示を送信して、ＵＥにＭＴサービスを通知する。ＵＥがアクティブモードにあるとき、ＭＭＥは、ＭＴサービス表示を直接送信してＵＥにＭＴサービスを通知する。この信号フローは、既存のＥＰＳネットワークにおけるページング機構に影響を及ぼさない点で有益である。
【００６５】
図３に示す信号フローでは、ＭＭＥは、ＵＥにＭＴサービスを通知するＭＴサービス表示を搬送する第３のページメッセージを送信する。これは、ＭＭＥの処理効率を向上させ、呼出し遅延を低減する点で有益である。
【００６６】
ＵＥにＭＴサービス発信元を知らせて、ユーザがＭＴサービスに関する選択を行うのを助けるために、本発明の上記および下記の各実施形態では、ＭＳＣによってＭＭＥに送信される第１のページメッセージがさらに、ＭＴサービス関連情報も搬送してもよい。
【００６７】
ＭＴサービス関連情報は、発信元の移動局ＩＳＤＮ（ＭＳＩＳＤＮ）、またはショート・メッセージ・サービス（ＳＭＳ）、位置情報サービス（ＬＣＳ）、非構造付加サービスデータ（ＵＳＳＤ）といったサービス種別表示を含む。加えて、ＭＳＣが、受信したＭＴサービス応答と関連付けられるＭＴサービスを決定するのを助けるために、ＭＴサービス関連情報はさらに、ＭＳＣによって割り振られるＭＴサービスＩＤまたは既存のＩＤ（電話番号のような）も含み得る。
【００６８】
ＭＳＣによってＭＭＥに送信される第１のページメッセージはＭＴサービス関連情報を搬送するため、ＭＭＥによってＵＥに送信されるページメッセージまたはＭＴサービス表示はさらに、ＭＴサービス関連情報も搬送し得る。この場合ＵＥは、ユーザの事前設定に従い、受信したＭＴサービス関連情報に応じてユーザにＭＴサービスを通知する。例えば、ＵＥは、ユーザに発信元のＭＳＩＳＤＮを表示するか、またはユーザにサービス種別を通知する。
【００６９】
前述の方法では、ユーザは、サービスを受諾または拒否するよう選択してもよい。しかしシナリオによっては、ユーザは、ある一定の時間待機してからＭＴサービスを処理しようとする場合もある。したがって、ＭＴサービスを保持する必要がある。本発明の第２の実施形態は、別のＣＳフォールバック法を提供する。この方法は、図１に示す方法に基づく以下の各ステップを含む。
【００７０】
ユーザがＭＴサービスを保持するよう選択した場合、ＭＭＥはＭＳＣに、ＭＴサービス保持メッセージを送信する。
【００７１】
加えて、ＭＴサービスが復元可能であることを保証するために、本方法はさらに以下を含む。
【００７２】
ＵＥが保持されたＭＴサービスの復元を要求した場合、ＭＭＥはＭＳＣにＭＴサービスを復元するよう通知する。ＭＳＣは、ＭＴサービスが復元され得るかどうか判断し、サービスが復元され得る場合、ＭＳＣがＵＥにＭＭＥを介した２Ｇ／３Ｇネットワークへのアクセスを通知し、次いでＵＥがＭＴサービスを完了し、あるいはＭＭＥがｅＮｏｄｅＢをトリガしてＵＥを２Ｇ／３Ｇネットワークにハンドオーバさせ、構成済みの動作ポリシに従ってＭＴサービスを完了する。ＭＳＣがＭＴサービスを復元することができない場合、復元プロセスは終了する。
【００７３】
図４に、本発明の第２の実施形態におけるＣＳフォールバック法の信号フローを示す。この信号フローは、ユーザが、ＭＴサービスを保持するよう選択することを可能にする。信号フローは以下の各ステップを含む。
【００７４】
ステップ４０１：ＭＳＣがＭＴサービス要求を受信し、ＭＭＥに第１のページメッセージを送信する。
【００７５】
システムリソースを消費する長期間のＭＴサービス保持を回避するために、この方法はさらに、呼出し保持タイマを事前設定するステップを含んでいてもよく、第１のページメッセージはさらにこの呼出し保持タイマ長も搬送する。
【００７６】
ステップ４０２：ＭＭＥが、ＩＭＳＩと関連付けられたＵＥの状態を問い合わせる。ＵＥがアイドルモードにある場合、ＭＭＥはｅＮｏｄｅＢに第４のページメッセージを送信する。ＵＥがアクティブモードにある場合、プロセスはステップ４０５に進む。
【００７７】
ステップ４０３：ｅＮｏｄｅＢが、その管理下のセル内で第４のページメッセージをブロードキャストする。
【００７８】
ステップ４０４：ＵＥが第４のページメッセージを受信し、ＭＭＥにサービス要求を返信する。
【００７９】
ステップ４０５：ＭＭＥがＵＥにＭＴサービス表示を送信して、ＵＥにＭＴサービスを通知する。
【００８０】
ＭＥサービス表示は、ＭＴサービス関連情報および／または呼出し保持タイマ長を搬送してもしなくてもよく、このことは、本発明の実施には影響しない。
【００８１】
ステップ４０６：ＵＥが、ＭＴサービス表示を受信した後で、ユーザにＭＴサービスを通知する。
【００８２】
実際には、ＭＴサービス表示がＭＴサービス関連情報を搬送する場合、ＵＥは、ユーザの事前設定に従い、受信したＭＴサービス関連情報に応じてユーザにＭＴサービスを通知する。例えばＵＥは、ユーザに発信元のＭＳＩＳＤＮを表示するか、またはユーザにサービス種別を通知する。ＵＥは、呼出音を鳴らすか、または振動するか、または呼出音を鳴らすと共に振動するか、またはテキストによる通知を表示してユーザにＭＴサービスを通知する。
【００８３】
ユーザがＭＴサービスに関する選択を行った後で、ＵＥはステップ４０７を実行する。
【００８４】
ステップ４０７：ＵＥがＭＭＥにＭＴサービス応答を送信する。
【００８５】
ＭＴサービス応答がユーザ選択結果（受諾もしくは拒否）を搬送する場合もあり、あるいはＭＴサービス応答は、ユーザ選択結果を搬送しない場合もあり、この場合、ユーザ選択結果はヌルである。ＭＴサービス応答がユーザ選択結果を搬送しない場合、ＭＭＥは、デフォルト設定に従ってユーザ選択を決定し得る。一般的なシナリオでは、ＭＴサービス応答が選択結果を搬送しない場合、ＭＭＥは、ユーザがデフォルトでＭＴサービスを受諾するものとみなす。
【００８６】
ユーザがサービスを保持するよう選択した場合、ＵＥは、呼出し保持タイマ長に従って関連するタイマを開始する。
【００８７】
ステップ４０８：ＭＭＥが、ＭＴサービス応答で搬送された選択結果を獲得する。ユーザがＭＴサービスを保持するよう選択した場合、ＭＭＥはＭＳＣにＭＴサービス保持メッセージを送信する。ユーザがＭＴサービスを拒否または受諾するように選択した場合には、後続の各ステップは、本発明の第１の実施形態において提供される手順と同じである。
【００８８】
ステップ４０９：ＭＳＣが、事前設定の呼出し保持タイマ長に従って関連付けられたタイマを開始する。
【００８９】
本発明の別の実施形態では、ＭＭＥは、第１のページメッセージを受信した後で、ＵＥに問い合わせず、ＵＥがデフォルトでアイドルモードにあるものとみなす。その場合、ＭＭＥはＵＥに、第４のページメッセージおよびＭＴサービス表示を送信して、アクティブ状態またはアイドル状態のＵＥにＭＴサービスを通知する。
【００９０】
以上が、本発明の第２の実施形態で提供されるＣＳフォールバック法の具体的信号フローである。アクティブ状態またはアイドル状態のＵＥは、ステップ４０２から４０５によってＭＴサービスを通知されることができる。本発明の別の実施形態では、アクティブ状態またはアイドル状態のＵＥにＭＴサービスを通知するのに、図５に示す信号フローが用いられ得る。この信号フローは以下の各ステップを含む。
【００９１】
ステップ５０１：ＭＭＥがＭＳＣから第１のページメッセージを受信し、ｅＮｏｄｅＢに第５のページメッセージを送信する。第５のページメッセージは、少なくともＭＴサービス表示を搬送する。
【００９２】
システムリソースを消費する長期間のＭＴサービス保持を回避し、ユーザがＭＴサービスに関する選択を行うのを助けるために、ＭＴサービス要求はさらに、事前設定の呼出し保持タイマ長および／またはＭＴサービス関連情報も搬送してもよい。
【００９３】
ステップ５０２：ｅＮｏｄｅＢが、その管理下のセル内で第５のページメッセージをブロードキャストする。
【００９４】
ステップ５０３：ＵＥが、第５のページメッセージを受信した後で、ユーザにＭＴサービスを通知する。
【００９５】
以上が、本発明の各実施形態で提供されるＣＳフォールバック法およびその具体的実施手順である。
【００９６】
ユーザ保持のＭＴサービスでは、ユーザがサービスを継続するよう選択した場合には、ＭＴサービスが復元される必要がある。ユーザがＭＴサービスの復元を要求するとき、ＭＴサービスが保持されるときにＵＥがタイマを開始した場合には、ＵＥは、タイマが切れているかどうかチェックする必要がある。タイマが切れている場合、復元手順は終了する（時間切れである）。タイマが切れていない場合、復元手順は実行される。上記ＭＴサービス復元手順に関して、本発明の一実施形態は、ＭＴサービス復元のための信号フローを提供する。図６に示すように、この信号フローは以下の各ステップを含む。
【００９７】
ステップ６０１：ＵＥが現在アイドルモードにある場合、ＵＥはＭＭＥにサービス要求を送信する。ＵＥがアイドルモードからアクティブになると、ステップ６０２が実行される。ＵＥがアクティブモードにある場合、ステップ６０２が直接実行される。
【００９８】
ステップ６０２：ＵＥがＭＭＥに第１のＭＴサービスアクティブ化要求を送信し、保持されたＭＴサービスを復元するよう要求する。
【００９９】
ＭＴサービスアクティブ化要求は、ＭＭＥがＭＴサービスを特定することができるように、アクティブ化されるべきＭＴサービスのＩＤを搬送し得る。シナリオによっては（ＵＥがただ１つのサービスしか保持しない場合）、ＭＴサービスＩＤが搬送されなくてもよく、このことは、本発明の実施には影響しない。
【０１００】
ステップ６０３：ＭＭＥがＭＳＣに第２のＭＴサービスアクティブ化要求を送信する。
【０１０１】
ステップ６０４：ＭＳＣが、第２のＭＴサービスアクティブ化要求を受信した後で、ＭＴサービスＩＤを保持しているＭＴサービスと照合する。サービスが存在する場合、ＭＳＣはアクティブ化要求を受諾し、呼出し保持タイマを停止し、要求されたリソースを割り振り、ＭＭＥに第２のＭＴサービスアクティブ化応答を送信する。第２のＭＴサービスアクティブ化応答は、動作成功の原因値を搬送する。そうでない場合、ＭＳＣはアクティブ化要求を拒否し、ＭＭＥに第２のＭＴサービスアクティブ化応答を送信する。第２のＭＴサービスアクティブ化応答は、動作失敗の原因値を搬送する。
【０１０２】
さらに、ＭＳＣの呼出し保持タイマが切れている場合、ＭＳＣはＭＴサービスの保持を停止し、保持されたリソースを解放し、タイマを停止する。
【０１０３】
任意選択的に、成功と失敗の各シナリオにおいて、ＭＭＥに異なる応答メッセージが送信されてもよい。またこの応答メッセージは、ＵＥがＭＴサービスを特定するのを助けるために、ＭＴサービスＩＤも搬送し得る。
【０１０４】
ステップ６０５：ＭＭＥは、第２のＭＴサービスアクティブ化応答を受信すると、ＵＥに第１のＭＴサービスアクティブ化応答を送信できる。
【０１０５】
第１のＭＴサービスアクティブ化応答は、第２のＭＴサービスアクティブ化応答で搬送されたＭＴサービスＩＤを搬送し得る。あるいはＭＭＥは、第１のＭＴサービスアクティブ化応答を送信しなくてもよく、これは本発明の実施には影響しない。
【０１０６】
ステップ６０６：ＭＭＥがｅＮｏｄｅＢにＰＳサービスハンドオーバ要求を送信する。
【０１０７】
実際には、ＭＭＥが構成済みのネットワーク動作ポリシに従ってＵＥの現在のＰＳサービスをハンドオーバせずに動作し続けることができ、したがってＭＭＥは、ｅＮｏｄｅＢにＰＳサービスハンドオーバ要求を送信しなくてもよく、ｅＮｏｄｅＢは、ＰＳハンドオーバ手順を実行しなくてもよい。
【０１０８】
ステップ６０７：ｅＮｏｄｅＢがＰＳサービスハンドオーバ要求を受信し、ＵＥを２Ｇ／３ＧネットワークにハンドオーバするためのＰＳサービスハンドオーバ手順を開始する。
【０１０９】
ステップ６０８：ＵＥが２Ｇ／３Ｇネットワークにハンドオーバされた後で、ＵＥは、第１のページ応答を送信し、ＭＴサービス処理を完了する。
【０１１０】
以上が、本発明の各実施形態において提供されるＣＳフォールバック法の説明である。ＣＳフォールバックシナリオでは、ＵＥを２Ｇ／３Ｇネットワークにハンドオーバすることを必要とせずに、ＳＭＳ  ＭＴサービスが、ＥＰＳネットワークにおいてＵＥのシグナリングによってＵＥに送信され得る。例えば、第１のページメッセージがショート・メッセージ・コンテンツを搬送し、次いでそのショートメッセージが、ＥＰＳネットワークを介してＵＥに送信される。ＵＥは、ショートメッセージを受信し、関連する処理を完了する。
【０１１１】
当業者は、本発明の上記各実施形態における方法の各ステップの全部または一部が、プログラムの命令に基づき、ハードウェアによって実施され得ることを理解するだろう。このプログラムは、コンピュータ可読記憶媒体に記憶されていてもよい。プログラムが実行されると、
ＭＭＥがＭＳＣからＭＴサービス表示を受信するステップと、
ＵＥにＭＴサービス表示を送信するステップと、
ＵＥによって返信されたＭＴサービス応答を受信し、ＭＴサービス応答に従って後続の動作を行うステップと、
が実行される。
【０１１２】
記憶媒体は、読取り専用メモリ、磁気ディスクまたはコンパクトディスクとすることができる。
【０１１３】
図７に、本発明の一実施形態において提供されるＣＳフォールバックシステムを示す。システムは、ＭＭＥ７０１と、ＭＳＣ７０２と、ｅＮｏｄｅＢ７０３とを含む。
【０１１４】
ＭＳＣ７０２は、サービス表示送信ユニット７０２１を含む。
【０１１５】
サービス表示送信ユニット７０２１は、ＭＴサービス表示を受信した後で、ＭＭＥ７０１にＭＴサービス表示を送信するように構成されている。
【０１１６】
本発明の実施形態で提供されるＭＭＥ７０１は、
ＭＳＣ７０２からＭＴサービス表示を受信するように構成されたページメッセージ受信ユニット７０１１と、
ＵＥ７０４にＭＴサービス表示を送信するように構成されたＭＴサービス通知ユニット７０１２と、
ＵＥ７０４によって返信されるＭＴサービス応答を受信するように構成された応答受信ユニット７０１３と、
ＭＴサービス応答に従って後続の動作を行うように構成された応答処理ユニット７０１４と
を含む。
【０１１７】
具体的には、ＭＴサービス応答はユーザ選択結果を搬送し、応答処理ユニット７０１４は、
ユーザがＭＴサービスを拒否するよう選択した場合に、ＭＳＣ７０２にＭＴサービス拒否メッセージを返信するように構成された第１の応答処理ユニットと、
ユーザがＭＴサービスを保持するよう選択した場合に、ＭＳＣ７０２にＭＴサービス保持メッセージを返信するように構成された第２の応答処理ユニットと、
ユーザがＭＴサービスを受諾するよう選択した場合、またはユーザ選択結果がヌルである場合に、ＵＥ７０４をトリガして２Ｇ／３Ｇネットワークにアクセスさせるように構成された第３の応答処理ユニットと、
を含む。
【０１１８】
ＵＥが保持されたＭＴサービスを復元することを可能するために、ＭＭＥ７０１はさらに、
ＵＥ７０４によって送信される、保持されたＭＴサービスを復元するよう要求する第１のＭＴサービスアクティブ化要求を受信するように構成されたアクティブ化要求受信ユニットと、
ＭＳＣ７０２に第２のＭＴサービスアクティブ化要求を送信するように構成されたアクティブ化要求送信ユニットと、
ＭＳＣ７０２によって返信される第２のＭＴサービスアクティブ化応答を受信し、ＵＥ７０４に、ＵＥ７０４が２Ｇ／３Ｇネットワークにアクセスすべきであると指示するように構成されたアクティブ化応答受信ユニットと、
を含む。
【０１１９】
ＭＳＣ７０２はさらに、
ＭＭＥから第２のＭＴサービスアクティブ化要求を受信するように構成されたアクティブ化要求受信ユニットと、
アクティブ化要求受信ユニットが要求を受信した後で、第２のＭＴサービスアクティブ化応答を返信するように構成されたアクティブ化応答送信ユニットと、
を含む。
【０１２０】
ＵＥの中にはＥＰＳネットワークにおいてアイドルモードにあるものもあるために、これらのＵＥをアクティブ化するために、ＭＴサービス通知ユニット７０１２は、
ｅＮｏｄｅＢ７０３を介してＵＥ７０４をアクティブ化するように構成されたＵＥアクティブ化ユニットと、
ＵＥ７０４の状態を問い合わせ、ＵＥ７０４がアクティブモードにある場合に送信ユニットをトリガし、ＵＥ７０４がアイドルモードにある場合にＵＥアクティブ化ユニットをトリガするように構成された状態問い合わせユニットと、
ＵＥ７０４がアクティブモードにある場合、ＵＥ７０４にＭＴサービス表示を送信するように構成された送信ユニットと、
を含む。
【０１２１】
実際には、ＵＥアクティブ化ユニットには２つの実装形態がある。
【０１２２】
第１の実装形態では、このユニットは、
ｅＮｏｄｅＢ７０３に第２のページメッセージを送信するように構成されたページメッセージ送信ユニットと、
ＵＥ７０４によって返信されるサービス要求を受信した後で、ＭＴサービス通知ユニット７０１２をトリガするように構成されたサービス要求受信ユニットと、
を含む。
【０１２３】
第２の実装形態では、ＵＥアクティブ化ユニットは、アクティブ化／通知ユニットである。
【０１２４】
アクティブ化／通知ユニットは、ｅＮｏｄｅＢ７０３にＭＴサービス表示を搬送する第３のページメッセージを送信するように構成されている。ｅＮｏｄｅＢ７０３に第３のページメッセージを送信することにより、ＵＥがアクティブ化され、ＭＴサービス表示がＵＥに送信される。
【０１２５】
本発明の一実施形態は、ＣＳフォールバックシナリオにおけるＳＭＳ  ＭＴサービスの処理のためのＭＭＥを提供する。このＭＭＥは、
ＭＳＣからショートメッセージを受信するように構成された受信ユニットと、
ＵＥがアクティブモードにあるかそれともアイドルモードにあるか判断するように構成された状態判断ユニットと、
状態判断ユニットが、ＵＥがアクティブモードにあると判定すると、ＵＥに、受信ユニットが受信したショートメッセージを送信するように構成された送信ユニットと、
状態判断ユニットが、ＵＥがアイドルモードにあると判定すると、ＵＥをアクティブ化し、アクティブ化されたＵＥに、受信ユニットが受信したショートメッセージを送信するように構成されたアクティブ化／送信ユニットと、
ＵＥからショートメッセージ応答を受信するように構成されたショートメッセージ応答受信ユニットと、
を含み得る。
【０１２６】
アクティブ化／送信ユニットは、
ｅＮｏｄｅＢに第２のページメッセージを送信するように構成されたページ送信ユニットと、
ＵＥによって返信されるサービス要求を受信するように構成された返信メッセージ受信ユニットと、
返信メッセージ受信ユニットが受信するサービス要求に従ってＵＥにショートメッセージを送信するように構成されたショートメッセージ送信ユニットと、
を含み得る。
【０１２７】
あるいはアクティブ化／送信ユニットは、
ｅＮｏｄｅＢにショートメッセージを搬送する第３のページメッセージを送信するように構成されたページ送信ユニット、
を含み得る。
【０１２８】
図７には、本発明の一実施形態において提供されるＵＥ７０４が示されている。ＵＥ７０４は、
ＭＭＥ７０１によって送信されるＭＴサービス表示を受信するように構成された通知受信ユニット７０４１と、
通知受信ユニット７０４１がＭＴサービス表示を受信した後で、ユーザにＭＴサービスを通知するように構成された通知ユニット７０４２と、
ＭＴサービスに関するユーザの選択に従ってＭＭＥにＭＴサービス応答を返信するように構成された応答送信ユニット７０４３と、
を含む。
【０１２９】
保持されたＭＴサービスを復元可能にするために、ＵＥはさらに、
ＭＭＥに、第１のＭＴサービスアクティブ化要求を送信し、保持されたＭＴサービスを復元するよう要求するように構成されたアクティブ化要求送信ユニット、
を含み得る。
【０１３０】
さらにＵＥは、ＭＴサービスを処理するように構成されたＭＴサービス処理ユニットも含み得る。
【０１３１】
以上本発明をいくつかの例示的実施形態によって説明したが、本発明はそれらの実施形態だけに限定されるものではない。当業者は、本発明の趣旨および範囲を逸脱することなく、本発明に様々な改変および変形を加えることができることは明らかである。本発明は、それらの改変および変形が添付の特許請求の範囲またはその均等物によって定義される保護の範囲内に該当する限りにおいて、それらの改変および変形を包含するものである。
【図１】
2011512065.tif 000003
【図２】
2011512065.tif 000004
【図３】
2011512065.tif 000005
【図４】
2011512065.tif 000006
【図５】
2011512065.tif 000007
【図６】
2011512065.tif 000008
【図７】
2011512065.tif 000009
【手続補正書】
【提出日】平成22年8月27日(2010.8.27)
【手続補正１】
【補正対象書類名】特許請求の範囲
【補正対象項目名】全文
【補正方法】変更
【補正の内容】
【特許請求の範囲】
【請求項１】
進化型パケットネットワークにおいて回線交換（ＣＳ）ドメインサービスを処理する方法であって、
モビリティ管理エンティティ（ＭＭＥ）が移動交換局（ＭＳＣ）からモバイル着信（ＭＴ）サービス表示を受信し、
前記ＭＭＥがユーザ端末（ＵＥ）に前記ＭＴサービス表示を送信し、
前記ＭＭＥが前記ＵＥによって返信されたＭＴサービス応答を受信し、前記ＭＴサービス応答に従って後続の動作を行うこと、
を含む方法。
【請求項２】
前記ＭＴサービス応答はユーザ選択結果を搬送し、後続の動作を行う前記ステップは、
前記ユーザ選択結果が前記ＭＴサービスを拒否するものである場合、前記ＭＭＥが前記ＭＳＣにＭＴサービス拒否メッセージを返信し、
前記ユーザ選択結果が前記ＭＴサービスを保持するものである場合、前記ＭＭＥが前記ＭＳＣにＭＴサービス保持メッセージを返信し、
前記ユーザ選択結果が前記ＭＴサービスを受諾するものである場合、前記ＭＭＥが前記ＵＥをトリガして、第２世代または第３世代（２Ｇ／３Ｇ）ネットワークにアクセスさせ、
前記ユーザ選択結果がヌルである場合、前記ＭＭＥがデフォルト設定に従って前記ユーザ選択結果を判断すること、
を含む、請求項１に記載の方法。
【請求項３】
前記ＭＴサービス表示はＭＴサービス関連情報を含む、請求項１に記載の方法。
【請求項４】
前記ＵＥが、前記ＭＴサービス表示を受信し、前記ユーザに前記ＭＴサービスを通知し、前記ユーザの選択に従って前記ＭＭＥにＭＴサービス応答を返信すること、
をさらに含む、請求項１に記載の方法。
【請求項５】
前記ＵＥに前記ＭＴサービス表示を送信する前記ステップは、
前記ＭＭＥが、前記ＵＥの状態を問い合わせ、前記ＵＥがアクティブモードにある場合に前記ＵＥに前記ＭＴサービス表示を送信し、前記ＵＥがアイドルモードにある場合に進化型ＮｏｄｅＢ（ｅＮｏｄｅＢ）を介して前記ＵＥをアクティブ化し、前記ＵＥに前記ＭＴサービス表示を送信すること、
を含む、請求項１に記載の方法。
【請求項６】
前記ｅＮｏｄｅＢを介して前記ＵＥをアクティブ化し、前記ＵＥに前記ＭＴサービス表示を送信する前記ステップは、
前記ＭＭＥが前記ｅＮｏｄｅＢに第２のページメッセージを送信し、
前記ｅＮｏｄｅＢが、前記ｅＮｏｄｅＢによって管理されるセル内のＵＥに前記第２のページメッセージをブロードキャストし、前記ＭＭＥが前記ＵＥによって返信されたサービス要求を受信し、
前記ＭＭＥが前記ＵＥに前記ＭＴサービス表示を送信すること、
を含む、請求項５に記載の方法。
【請求項７】
前記ｅＮｏｄｅＢを介して前記ＵＥをアクティブ化し、前記ＵＥに前記ＭＴサービス表示を送信する前記ステップは、
前記ＭＭＥが前記ｅＮｏｄｅＢに前記ＭＴサービス表示を搬送する第３のページメッセージを送信し、
前記ｅＮｏｄｅＢが、前記ｅＮｏｄｅＢによって管理されるセル内のＵＥに前記第３のページメッセージをブロードキャストすること、
を含む、請求項５に記載の方法。
【請求項８】
移動交換局（ＭＳＣ）からモバイル着信（ＭＴ）サービス表示を受信するように構成されたページメッセージ受信ユニットと、
ユーザ端末（ＵＥ）に前記ＭＴサービス表示を送信するように構成されたＭＴサービス通知ユニットと、
前記ＵＥによって返信されるＭＴサービス応答を受信するように構成された応答受信ユニットと、
前記ＭＴサービス応答に従って後続の動作を行うように構成された応答処理ユニットと、
を備える、モビリティ管理エンティティ（ＭＭＥ）。
【請求項９】
前記ＭＴサービス応答はユーザ選択結果を搬送し、前記応答処理ユニットは、
前記ユーザ選択結果が前記ＭＴサービスを拒否するものである場合、前記ＭＳＣにＭＴサービス拒否メッセージを返信するように構成された第１の応答処理ユニット、
前記ユーザ選択結果が前記ＭＴサービスを保持するものである場合、前記ＭＳＣにＭＴサービス保持メッセージを返信するように構成された第２の応答処理ユニット、
前記ユーザ選択結果が前記ＭＴサービスを受諾するものである場合、もしくは前記ユーザ選択結果がヌルである場合、前記ＵＥをトリガして第２世代または第３世代（２Ｇ／３Ｇ）ネットワークにアクセスさせるように構成された第３の応答処理ユニット、
のうちの少なくとも１つを備える、請求項８に記載のＭＭＥ。
【請求項１０】
前記ＭＴサービス通知ユニットは、
進化型ＮｏｄｅＢ（ｅＮｏｄｅＢ）を介して前記ＵＥをアクティブ化するように構成されたＵＥアクティブ化ユニットと、
前記ＵＥの状態を問い合わせ、前記ＵＥがアクティブモードにある場合に送信ユニットをトリガし、前記ＵＥがアイドルモードにある場合に前記ＵＥアクティブ化ユニットをトリガするように構成された状態問い合わせユニットと、
前記ＵＥがアクティブモードにある場合に、前記ＵＥに前記ＭＴサービス表示を送信するように構成された前記送信ユニットと、
を備える、請求項８に記載の前記ＭＭＥ。
【請求項１１】
前記ＭＴサービス通知ユニットは、
前記ｅＮｏｄｅＢに第２のページメッセージを送信するように構成されたページメッセージ送信ユニットと、
前記ＵＥによって返信されるサービス要求を受信した後で前記ＭＴサービス通知ユニットをトリガするように構成されたサービス要求受信ユニットと、
を備える、請求項１０に記載のＭＭＥ。
【請求項１２】
前記ＵＥアクティブ化ユニットは、前記ｅＮｏｄｅＢに前記ＭＴサービス表示を搬送する第３のページメッセージを送信するように構成されたアクティブ化／通知ユニットである、請求項１１に記載の前記ＭＭＥ。
【請求項１３】
モビリティ管理エンティティ（ＭＭＥ）によって送信されるモバイル着信（ＭＴ）サービス表示を受信するように構成された通知受信ユニットと、
前記通知受信ユニットが前記ＭＴサービス表示を受信した後で、ユーザに前記ＭＴサービスを通知するように構成された通知ユニットと、
前記ＭＴサービスに関する前記ユーザの選択に従って前記ＭＭＥにＭＴサービス応答を返信するように構成された応答送信ユニットと、
を備える、ユーザ端末（ＵＥ）。
【請求項１４】
前記ＭＴサービスを処理するように構成されたＭＴサービス処理ユニット
をさらに備える、請求項１３に記載のＵＥ。
【請求項１５】
移動交換局（ＭＳＣ）と、モビリティ管理エンティティ（ＭＭＥ）とを備える、進化型パケットネットワークにおいて回線交換（ＣＳ）サービスを処理するシステムであって、
前記ＭＳＣは、モバイル着信（ＭＴ）サービス表示を受信した後で、前記ＭＭＥに前記ＭＴサービス表示を送信するように構成されたサービス表示送信ユニットを備え、
前記ＭＭＥは、
前記ＭＳＣから前記ＭＴサービス表示を受信するように構成されたページメッセージ受信ユニットと、
ユーザ端末（ＵＥ）に前記ＭＴサービス表示を送信するように構成されたＭＴサービス通知ユニットと、
前記ＵＥによって返信されるＭＴサービス応答を受信するように構成された応答受信ユニットと、
前記ＭＴサービス応答に従って後続の動作を行うように構成された応答処理ユニットと
を備えるシステム。
【請求項１６】
前記ＭＴサービス応答はユーザ選択結果を搬送し、前記応答処理ユニットは、
前記ユーザ選択結果が前記ＭＴサービスを拒否するものである場合、前記ＭＳＣにＭＴサービス拒否メッセージを返信するように構成された第１の応答処理ユニットと、
前記ユーザ選択結果が前記ＭＴサービスを保持するものである場合、前記ＭＳＣにＭＴサービス保持メッセージを返信するように構成された第２の応答処理ユニットと、
前記ユーザ選択結果が前記ＭＴサービスを受諾するものである場合、もしくは前記ユーザ選択結果がヌルである場合、前記ＵＥをトリガして第２世代または第３世代（２Ｇ／３Ｇ）ネットワークにアクセスさせるように構成された第３の応答処理ユニットと、
を備える、請求項１５に記載のシステム。
【請求項１７】
進化型ＮｏｄｅＢ（ｅＮｏｄｅＢ）をさらに備え、前記ＭＭＥは、
前記ｅＮｏｄｅＢを介して前記ＵＥをアクティブ化するように構成されたＵＥアクティブ化ユニットと、
前記ＵＥの状態を問い合わせ、前記ＵＥがアクティブモードにある場合に前記ＭＴサービス通知ユニットをトリガし、または前記ＵＥがアイドルモードにある場合に前記ＵＥアクティブ化ユニットをトリガするように構成された状態問い合わせユニットと、
をさらに備える、請求項１５に記載のシステム。
【請求項１８】
前記ＵＥアクティブ化ユニットは、
前記ｅＮｏｄｅＢに第２のページメッセージを送信するように構成されたページメッセージ送信ユニットと、
前記ＵＥによって返信されるサービス要求を受信した後で前記ＭＴサービス通知ユニットをトリガするように構成されたサービス要求受信ユニットと、
を備える、請求項１７に記載のシステム。
【請求項１９】
前記ＵＥアクティブ化ユニットは、前記ｅＮｏｄｅＢに前記ＭＴサービス表示を搬送する第３のページメッセージを送信するように構成されたアクティブ化／通知ユニットである、請求項１８に記載のシステム。
【国際調査報告】
2011512065.tif 000010
2011512065.tif 000011
2011512065.tif 000012
2011512065.tif 000013